(57)【要約】【課題】  電力量計の種類ごとの電線挿入孔の深さの違いによって、スリーブの挿入移動距離がばらつくことを防止し、電力量計の端子台の電線挿入孔に入り過ぎることなく、電線挿入孔の一定の場所に留まって、電線の素線部分の被覆並びに電線止めネジの締め付け部として作動することができる電力量計用スリーブを提供すること。【解決手段】  円筒１ａの一端に大径部２が形成されていて、円筒１ａの内径が電線Ｋの素線部分Ｋｓの外径よりも大きく、円筒１ａの外径が電線挿入孔Ｈの内径よりも僅かに小さく形成され、円筒１ａの長さが電線挿入孔Ｈの入り口から２つの電線止めネジＳの位置までの深さよりも長く、各種電力量計Ａにおける電線挿入孔Ｈの最短の深さのものとほぼ等しいか、僅かに短く形成され、大径部２の内径、外径がともに開口端に向かって漸次大きくなるように形成した電力量計用スリーブの構成としたこと。【選択図】        図６
2006030133.tif 000002
【特許請求の範囲】
【請求項１】
電力量計(A)の端子台(B)の電線挿入孔(H)に電線(K)を挿入接続するにあたって、電線(K)の素線部分(Ks)に被せられる略円筒形状の電力量計用スリーブ(1)であって、円筒(1a)の一端に大径部(2)が形成されていて、円筒(1a)の内径が電線(K)の素線部分(Ks)の外径よりも大きく、円筒(1a)の外径が電線挿入孔(H)の内径よりも僅かに小さく形成され、円筒(1a)の長さが電線挿入孔(H)の入り口から２つの電線止めネジ(S)の位置までの深さよりも長く、各種電力量計(A)における電線挿入孔(H)の最短の深さのものとほぼ等しいか、僅かに短く形成され、大径部(2)の内径、外径がともに開口端に向かって漸次大きくなるように形成されて、大径部(2)の内面が電線(K)の素線部分(Ks)の先端部の案内面を果し、大径部(2)の外面が電線挿入孔(H)の開口部に接当して電線挿入孔(H)内への挿入深さを一定に規制する構成としてある電力量計用スリーブ。
【発明の詳細な説明】
【技術分野】
【０００１】
本発明は、電力使用量を計量する電力量計の端子台に接続してある入出力電線の素線部分に取り付けて使用する電力量計用スリーブに関する。
【背景技術】
【０００２】
家庭や事業所で使用される電力量は、各戸や各事業所に個別に取り付けられた電力量計で計測され、このデーターに基づいて電力料金が電力会社に支払われている。この電力量計への電線の接続は、一般的には、特開２００２−５５１２１号公報や特開２００２−４８８１９号公報中の電力量計に見られるように、３本の外部電線と３本の室内引込用内部電線とを電力量計の端子台へ挿入し、電線止めネジで締め付けることによって行う。この際、前述の公報には示されていないが、電線の素線がばらけないようにするため、図７及び図８に示すように、円筒状のスリーブ１１が電線Ｋの素線部分Ｋｓに被された状態で電線Ｋが電力量計Ａの端子台Ｂへ挿入されており、このスリーブ１１を電線止めネジＳで締め付けることにより、電力量計Ａの端子台Ｂへ電線Ｋが接続された状態が実現される。
【特許文献１】特開２００２−５５１２１号公報
【特許文献２】特開２００２−４８８１９号公報
【発明の開示】
【発明が解決しようとする課題】
【０００３】
しかしながら、スリーブ１１を電線止めネジＳで締め付ける場所は、通常は、前記先行技術や前記図面に見られるように、電力量計Ａの端子台Ｂにある電線挿入孔Ｈの入り口から所定の距離に設けられているが、電力量計Ａの端子台Ｂの電線挿入孔Ｈの深さｄはメーカーによって異なるので、電力量計の種類によっては、図９に示すように、円筒状のスリーブ１１が奥へ入りすぎて、端子台Ｂの電線止めネジＳで締め付ける部分にスリーブ１１がかからなくなることがある。したがって、メーカーごとに異なる長さのスリーブ１１を使用する必要があり、使用者にとって不便であり、また、各スリーブに適応する電力量計Ａの割合が限られ大量生産する価値が乏しく、生産者にとっても合理的でない。
【０００４】
そこで本発明は、電力量計の種類ごとの電線挿入孔の深さの違いによって、スリーブの挿入移動距離がばらつくことを防止し、電力量計の端子台の電線挿入孔に入り過ぎることなく、電線挿入孔の一定の場所に留まって、電線の素線部分の被覆並びに電線止めネジの締め付け部として役割を果たすことができる電力量計用スリーブの提供を主たる目的とするものである。
【課題を解決するための手段】
【０００５】
上記目的を達成するために講じた本発明の構成を実施例に使用した符合を用いて説明すると、本発明の電力量計用スリーブは、電力量計Ａの端子台Ｂの電線挿入孔Ｈに電線Ｋを挿入接続するにあたって、電線Ｋの素線部分Ｋｓに被せられる略円筒形状の電力量計用スリーブ１であって、円筒１ａの一端に大径部２が形成されていて、円筒１ａの内径が電線Ｋの素線部分Ｋｓの外径よりも大きく、円筒１ａの外径が電線挿入孔Ｈの内径よりも僅かに小さく形成され、円筒１ａの長さが電線挿入孔Ｈの入り口から２つの電線止めネジＳの位置までの深さよりも長く、各種電力量計Ａにおける電線挿入孔Ｈの最短の深さのものとほぼ等しいか、僅かに短く形成され、大径部２の内径、外径がともに開口端に向かって漸次大きくなるように形成されて、大径部２の内面が電線Ｋの素線部分Ｋｓの先端部の案内面を果し、大径部２の外面が電線挿入孔Ｈの開口部に接当して電線挿入孔Ｈ内への挿入深さを一定に規制する構成としたものである。
【０００６】
ここで、円筒１ａの一端に形成されている大径部２とは、内径寸法、形状の如何にかかわらず、円筒１ａの一端の外径寸法を円筒１ａのその他の部分の外径より大きく形成していることをいう。
【発明の効果】
【０００７】
本発明に言う電力量計用スリーブは、円筒の一端に大径部が形成され、該大径部の外径が開口端に向かって漸次大きくなるように形成されて、大径部の外面が電線挿入孔の開口部に接当して電線挿入孔内への挿入深さを一定に規制する構成としたから、電力量計用スリーブが電線挿入孔の中に入り込みすぎることがない。また、このような構成としたことに加えて、円筒の長さが電線挿入孔の入り口から２つの電線止めネジの位置までの深さよりも長く、各種電力量計における電線挿入孔の最短の深さのものとほぼ等しいか、僅かに短く形成されている構成としてあるので、どのようなタイプの電力量計に挿入接続した電線であっても、電線の素線部分で、かつ、電線止めネジを締め付ける部分を電力量計用スリーブによって確実に被覆することができる。また、大径部の内径が開口端に向かって漸次大きくなるように形成されて、大径部の内面が素線部分の先端部の案内面を果すので、電力量計用スリーブに電線を挿入しやすい。さらに、一種類の電力量計用スリーブで、様々な電線挿入孔の深さを有する電力量計に対して互換性があり、使用範囲が広く、大量生産により高い利益率を上げることができる。
【発明を実施するための最良の形態】
【０００８】
本発明の電力量計用スリーブを実施するにあたって、大径部２の形態は、種々考えられ、特に限定されるものではないが、例えば、後述する第１実施例で述べるように、円筒１ａの大径部２の内径、外径がともに開口端に向かって漸次大きくなるように形成した構成のうち、大径部２の内面、外面をともに開口端に向かって漸次外方向に曲面状に拡げた漏斗状の形状に形成した構成として実施すると、前述の効果に加えて、電力量計用スリーブに電線を挿入するにあたって、電線が曲面に沿って案内され、最も電線の挿入抵抗が小さくなる点において好ましい。
【実施例】
【０００９】
以下、本発明の実施例を図示例と共に説明する。図１乃至図６は本願発明の第１実施例の電力量計用スリーブを説明するための図であって、図１は電力量計の斜視図、図２は電力量計のカバーＣを外した正面図、図３は電力量計用スリーブの斜視図、図４は電力量計用スリーブの中央縦断面図、図５は電力量計への電線の接続を説明する断面図、図６は電線を接続した電力量計の断面図を示す。
【００１０】
本発明の電力量計用スリーブを取り付けて使用する電力量計Ａは、図１及び図５に示すように、一般家庭や事業所に設置されている周知のものであり、その下部には、室外からの入力側の３本の外部電線Ｋａと、室内への出力側の３本の内部電線Ｋｂを個別に挿入接続するための６個の電線挿通孔Ｈが形成されている。そして、その正面側に取り付けられたカバーＣを外すと、図２、図５及び図６に示すように、電線挿通孔Ｈに挿入した電線Ｋａ，Ｋｂを電線止めネジＳで締め付けるための電線止めネジ挿入穴Ｓａが、各電線Ｋａ，Ｋｂに対してその挿通方向に（図２で見て上下方向に）２箇所ずつ形成され、計１２箇所形成されている。
【００１１】
この電力量計Ａは、すべての機器が同一寸法ではなく、生産者によって、各部の大きさや配置関係が少しずつ異なっている。例えば、電線挿通孔Ｈの径や、電線挿通孔Ｈの入り口から電線止め電線止めネジＳで締め付ける部分までの距離は、各メーカーの電力量計によって大差はないが、電線挿入孔Ｈの深さｄは、３５〜４０ｍｍの幅があり、各メーカーの電力量計によってまちまちである。
【００１２】
而して、本発明の電力量計用スリーブは、銅を素材として、図３及び図４に示すように、円筒１ａの一端に大径部２が形成され、該大径部２の内径、外径がともに開口端に向かって漸次大きくなるように形成した、より詳しくは、大径部２の内面、外面をともに開口端に向かって漸次外方向に曲面状に拡げた漏斗状の形状に形成した構造としている。製法は、銅を溶融させ、所定径の円筒状に押出成形した後、適宜の長さ(本実施例では２７ｍｍ)に切断し、一端の開口部１ｂを金属型に押し付けて押圧をかけ、開口部１ｂを外方向に押し広げて製造する。
【００１３】
なお、言うまでもなく、電力量計用スリーブ１の寸法については、本実施例に図示した寸法に限られず、電力量計用スリーブ１の内径は、電線Ｋを挿入するため電線Ｋの外径よりも大きく形成し、電力量計用スリーブ１の外径は、電線挿入孔Ｈに挿入するため電線挿入孔Ｈの内径よりも小さく形成し、電力量計用スリーブ１の長さは、電線挿入孔Ｈの入り口から２つの電線止めネジＳのうち遠い方の位置までの深さよりも長く、各種電力量計Ａにおける電線挿入孔Ｈの最短の深さのものとほぼ等しいか僅かに短く形成されていればよく、様々な電力量計Ａに対して互換性がある。
【００１４】
この電力量計用スリーブ１の使用にあたっては、図５及び図６に示すように、各電線Ｋの素線部分Ｋｓを電力量計用スリーブの漏斗形状の開口部１ｂから挿入させ、電線Ｋのチューブ部分Ｋｔが電力量計用スリーブの漏斗形状の開口部１ｂに達するまで、電線Ｋを電力量計用スリーブ１に挿入し、各電線Ｋの素線部分Ｋｓに電力量計用スリーブ１を被せる。そして、電線Ｋを挿入した状態にある電力量計用スリーブ１を電力量計Ａの電線挿通孔Ｈに挿入していくと、電力量計用スリーブ１の漏斗状の形状の大径部２が同じく漏斗形状に開口した電線挿通孔Ｈの入り口に引っかかって、電力量計用スリーブ１のこれ以上の挿入が阻止される。この状態で電線止めネジＳを２箇所の電線止めネジ挿入穴Ｓａに螺入して、電力量計用スリーブ１を締め付け固定する。
【００１５】
以上本発明の代表例と思われる実施例について説明したが、本発明は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００１６】
本発明の電力量計用スリーブは、一種類の電力量計用スリーブで、様々な種類の電線挿入孔の深さを有する電力量計に対して互換性があり、従来品にかわって大量生産される可能性がある。
【図面の簡単な説明】
【００１７】
【図１】第１実施例を説明する電力量計の斜視図。
【図２】同電力量計のカバーＣを外した正面図。
【図３】同電力量計用スリーブの斜視図。
【図４】同電力量計用スリーブの中央縦断面図。
【図５】同電力量計への電線の接続を説明する断面図。
【図６】同電線を接続した電力量計の断面図。
【図７】従来例の電力量計への電線の接続を説明する断面図。
【図８】同電線を接続した電力量計の断面図。
【図９】同スリーブが奥へ入り込みすぎた状態を示す電力量計の断面図。
【符号の説明】
【００１８】
１  電力量計用スリーブ
１ａ  円筒
１ｂ  開口部
２  大径部
１１  従来のスリーブ
ｄ  深さ
Ａ  電力量計
Ｂ  端子台
Ｃ  カバー
Ｈ  電線挿入孔
Ｋ  電線
Ｋａ  外部電線
Ｋｂ  内部電線
Ｋｓ  素線部分
Ｋｔ  チューブ部分
Ｓ  電線止めネジ
Ｓａ  電線止めネジ挿入穴
【図１】
2006030133.tif 000003
【図２】
2006030133.tif 000004
【図３】
2006030133.tif 000005
【図４】
2006030133.tif 000006
【図５】
2006030133.tif 000007
【図６】
2006030133.tif 000008
【図７】
2006030133.tif 000009
【図８】
2006030133.tif 000010
【図９】
2006030133.tif 000011